(57)【特許請求の範囲】
【請求項１】
需要家の施設における電気機器の操作履歴に関する操作履歴情報を取得する取得部と、
前記取得部によって取得された前記操作履歴情報、および前記施設における時間帯別の電気料金情報に基づいて、前記施設における前記電気機器の利用スケジュールの候補を示す候補情報を作成する処理部と、
前記処理部によって作成された前記候補情報を前記施設に対応する需要家装置へ送信する送信部と、
前記候補情報に対する前記需要家の応答を示す応答情報を前記需要家装置から受信する受信部とを備え、
前記受信部は、前記応答情報を受信した後、さらに、前記候補に対応する前記電気機器の操作実績を示す操作実績情報を前記需要家装置から受信し、
前記処理部は、前記受信部が受信した前記応答情報および前記操作実績情報に基づいて、前記応答情報の示す前記利用スケジュールの候補に沿った前記電気機器の操作を判定する、電力消費管理装置。
【請求項２】
前記処理部は、前記候補に沿った前記電気機器の操作に対する対価をさらに示す前記候補情報を作成する、請求項１に記載の電力消費管理装置。
【請求項３】
前記処理部は、前記操作履歴情報、前記電気料金情報および前記電気機器の操作に対して与えられる時間帯別の対価を示す対価情報に基づいて前記候補情報を作成する、請求項１または請求項２に記載の電力消費管理装置。
【請求項４】
前記処理部は、前記操作履歴情報または前記電気料金情報を優先させた前記候補を示す候補情報を作成する、請求項１から請求項３のいずれか１項に記載の電力消費管理装置。
【請求項５】
前記操作履歴情報は、前記候補の対象日と同じ曜日における前記電気機器の操作履歴に関する情報である、請求項１から請求項４のいずれか１項に記載の電力消費管理装置。
【請求項６】
前記電力消費管理装置は、さらに、
前記操作履歴情報および前記電気料金情報に基づいて前記電気機器の動作設定の候補を示す動作設定情報を作成する動作設定作成部を備え、
前記送信部は、前記候補情報および前記動作設定作成部によって作成された前記動作設定情報を前記需要家装置へ送信する、請求項１から請求項５のいずれか１項に記載の電力消費管理装置。
【請求項７】
需要家の施設における電気機器の利用スケジュールの候補を示す候補情報を電力消費管理装置から受信する受信部と、
前記受信部によって受信された前記候補情報の内容を表示する制御を行う表示制御部と、
前記表示制御部によって表示された前記候補情報の内容に対する前記需要家の応答を示す応答情報を前記電力消費管理装置へ送信する送信部とを備え、
前記送信部は、前記応答情報を送信した後、さらに、前記候補に対応する前記電気機器の操作実績を示す操作実績情報を前記電力消費管理装置へ送信し、
前記応答情報および前記操作実績情報は、前記電力消費管理装置による、前記応答情報の示す前記利用スケジュールの候補に沿った前記電気機器の操作を判定する処理に用いられる、需要家装置。
【請求項８】
電力消費管理装置と、
需要家装置とを備え、
前記電力消費管理装置は、
需要家の施設における電気機器の操作履歴に関する操作履歴情報を取得する取得部と、
前記取得部によって取得された前記操作履歴情報、および前記施設における時間帯別の電気料金情報に基づいて、前記施設における前記電気機器の利用スケジュールの候補を示す候補情報を作成する処理部と、
前記処理部によって作成された前記候補情報を前記施設に対応する前記需要家装置へ送信する送信部と、
前記候補情報に対する前記需要家の応答を示す応答情報を前記需要家装置から受信する受信部とを含み、
前記受信部は、前記応答情報を受信した後、さらに、前記候補に対応する前記電気機器の操作実績を示す操作実績情報を前記需要家装置から受信し、
前記処理部は、前記受信部が受信した前記応答情報および前記操作実績情報に基づいて、前記応答情報の示す前記利用スケジュールの候補に沿った前記電気機器の操作を判定する、電力消費管理システム。
【請求項９】
電力消費管理装置と、
需要家装置とを備え、
電力消費管理装置が、需要家の施設における電気機器の利用スケジュールの候補を示す候補情報を送信し、
前記需要家装置が、前記候補情報を受信して、前記候補情報に対する応答情報を送信し、
前記電力消費管理装置が、前記応答情報を前記需要家装置から受信し、
前記電力消費管理装置が、前記応答情報を受信した後、さらに、前記候補に対応する前記電気機器の操作実績を示す操作実績情報を前記需要家装置から受信し、
前記電力消費管理装置が、受信した前記応答情報および前記操作実績情報に基づいて、前記応答情報の示す前記利用スケジュールの候補に沿った前記電気機器の操作を判定する、電力消費管理システム。
【請求項１０】
電力消費管理装置における電力消費管理方法であって、
需要家の施設における電気機器の操作履歴に関する操作履歴情報を取得するステップと、
取得した前記操作履歴情報、および前記施設における時間帯別の電気料金情報に基づいて、前記施設における前記電気機器の利用スケジュールの候補を示す候補情報を作成するステップと、
作成した前記候補情報を前記施設に対応する需要家装置へ送信するステップと、
前記候補情報に対する前記需要家の応答を示す応答情報を前記需要家装置から受信するステップと、
前記応答情報を受信した後、さらに、前記候補に対応する前記電気機器の操作実績を示す操作実績情報を前記需要家装置から受信するステップと、
受信した前記応答情報および前記操作実績情報に基づいて、前記応答情報の示す前記利用スケジュールの候補に沿った前記電気機器の操作を判定するステップとを含む、電力消費管理方法。
【請求項１１】
需要家装置における電力消費管理方法であって、
需要家の施設における電気機器の利用スケジュールの候補を示す候補情報を電力消費管理装置から受信するステップと、
受信した前記候補情報の内容を表示する制御を行うステップと、
表示した前記候補情報の内容に対するユーザの応答を示す応答情報を前記電力消費管理装置へ送信するステップと、
前記応答情報を送信した後、さらに、前記候補に対応する前記電気機器の操作実績を示す操作実績情報を前記電力消費管理装置へ送信するステップとを含み、
前記応答情報および前記操作実績情報は、前記電力消費管理装置による、前記応答情報の示す前記利用スケジュールの候補に沿った前記電気機器の操作を判定する処理に用いられる、電力消費管理方法。
【請求項１２】
電力消費管理装置と、需要家装置とを備える電力消費管理システムにおける電力消費管理方法であって、
前記電力消費管理装置が、需要家の施設における電気機器の操作履歴に関する操作履歴情報を取得するステップと、
前記電力消費管理装置が、取得した前記操作履歴情報、および前記施設における時間帯別の電気料金情報に基づいて、前記施設における前記電気機器の利用スケジュールの候補を示す候補情報を作成するステップと、
前記電力消費管理装置が、作成した前記候補情報を前記施設に対応する前記需要家装置へ送信するステップと、
前記電力消費管理装置が、前記候補情報に対する前記需要家の応答を示す応答情報を前記需要家装置から受信するステップと、
前記電力消費管理装置が、前記応答情報を受信した後、さらに、前記候補に対応する前記電気機器の操作実績を示す操作実績情報を前記需要家装置から受信するステップと、
前記電力消費管理装置が、受信した前記応答情報および前記操作実績情報に基づいて、前記応答情報の示す前記利用スケジュールの候補に沿った前記電気機器の操作を判定するステップとを含む、電力消費管理方法。
【請求項１３】
電力消費管理装置と、需要家装置とを備える電力消費管理システムにおける電力消費管理方法であって、
前記電力消費管理装置が、需要家の施設における電気機器の利用スケジュールの候補を示す候補情報を送信するステップと、
前記需要家装置が、前記候補情報を受信して、前記候補情報に対する応答情報を送信するステップと、
前記電力消費管理装置が、前記応答情報を前記需要家装置から受信するステップと、
前記電力消費管理装置が、前記候補に対応する前記電気機器の操作実績を示す操作実績情報を前記需要家装置から受信するステップと、
前記電力消費管理装置が、受信した前記応答情報および前記操作実績情報に基づいて、前記応答情報の示す前記利用スケジュールの候補に沿った前記電気機器の操作を判定するステップとを含む、電力消費管理方法。
【請求項１４】
電力消費管理装置において用いられる電力消費管理プログラムであって、コンピュータに、
需要家の施設における電気機器の操作履歴に関する操作履歴情報を取得するステップと、
取得した前記操作履歴情報、および前記施設における時間帯別の電気料金情報に基づいて、前記施設における前記電気機器の利用スケジュールの候補を示す候補情報を作成するステップと、
作成した前記候補情報を前記施設に対応する需要家装置へ送信するステップと、
前記候補情報に対する前記需要家の応答を示す応答情報を前記需要家装置から受信するステップと、
前記応答情報を受信した後、さらに、前記候補に対応する前記電気機器の操作実績を示す操作実績情報を前記需要家装置から受信するステップと、
受信した前記応答情報および前記操作実績情報に基づいて、前記応答情報の示す前記利用スケジュールの候補に沿った前記電気機器の操作を判定するステップとを実行させるための、電力消費管理プログラム。
【請求項１５】
需要家装置において用いられる電力消費管理プログラムであって、コンピュータに、
需要家の施設における電気機器の利用スケジュールの候補を示す候補情報を電力消費管理装置から受信するステップと、
受信した前記候補情報の内容を表示する制御を行うステップと、
表示した前記候補情報の内容に対するユーザの応答を示す応答情報を前記電力消費管理装置へ送信するステップと、
前記応答情報を送信した後、さらに、前記候補に対応する前記電気機器の操作実績を示す操作実績情報を前記電力消費管理装置へ送信するステップとを実行させるためのプログラムであり、
前記応答情報および前記操作実績情報は、前記電力消費管理装置による、前記応答情報の示す前記利用スケジュールの候補に沿った前記電気機器の操作を判定する処理に用いられる、電力消費管理プログラム。
【発明の詳細な説明】
【技術分野】
【０００１】
本発明は、電力消費管理装置、需要家装置、電力消費管理システム、電力消費管理方法および電力消費管理プログラムに関し、特に、電気機器の利用スケジュールを扱う電力消費管理装置、需要家装置、電力消費管理システム、電力消費管理方法および電力消費管理プログラムに関する。
【背景技術】
【０００２】
近年、東日本大震災を発端とする原子力発電所の操業停止等の影響により、電力の供給量が大幅に減少しており、電力の需給バランスを意識したエネルギ管理の重要性が増加している。たとえば、電力需給がひっ迫する場合、不測の停電等が生じる可能性が高まるため、電力需要施設において節電を行うことが必要になる。
【０００３】
このような状況の下、ＨＥＭＳ（Ｈｏｍｅ  Ｅｎｅｒｇｙ  Ｍａｎａｇｅｍｅｎｔ  Ｓｙｓｔｅｍ）またはＢＥＭＳ（Ｂｕｉｌｄｉｎｇ  Ｅｎｅｒｇｙ  Ｍａｎａｇｅｍｅｎｔ  Ｓｙｓｔｅｍ）等への注目が高まっている。
【０００４】
たとえば、特許文献１（特開２００６−１６３６１０号公報）には、需要家の節電を支援するための技術が開示されている。すなわち、省エネ活動奨励方法は、一需要家である登録会員が通信端末を用いて通信ネットワーク回線を介して管理センタの管理サーバにログインするログイン段階と、前記管理サーバが登録会員を特定し、該登録会員の過去のエネルギ使用実績から今後の一定期間のエネルギ削減目標を作成して該登録会員の通信端末の画面に表示させるとともに、該エネルギ削減目標を達成できるか否かを試みる節約チャレンジへの参加申し込みを促すエネルギ削減目標送信段階と、前記登録会員が画面上に表示されたエネルギ削減目標を参照し、前記節約チャレンジへの参加申し込みを行う参加申込段階と、前記一定期間経過後に管理サーバがエネルギ削減目標の達成度に応じたポイントを前記登録会員に付与するポイント付与段階と、登録会員が付与されたポイントを金品や各種サービスと交換するポイント利用段階とを備える。
【先行技術文献】
【特許文献】
【０００５】
【特許文献１】特開２００６−１６３６１０号公報
【特許文献２】特開２０１２−２７６９７号公報
【特許文献３】特開２００６−１７２０７５号公報
【発明の概要】
【発明が解決しようとする課題】
【０００６】
ところで、たとえば、ＨＥＭＳでは、当該ＨＥＭＳの設けられた電力需要施設すなわち住宅における消費電力の推移等を表示する場合がある。このように、住宅の電力消費状況等を可視化することにより、たとえば当該住宅の居住者であるユーザの節電に対する意識を高く保つことができる。
【０００７】
しかしながら、たとえばユーザによる住宅の電力消費状況等の確認が継続しない場合、当該ユーザの節電に対する意識が低下してしまうことが考えられる。
【０００８】
この発明は、上述の課題を解決するためになされたもので、その目的は、ユーザの節電に対する意識を高めることが可能な電力消費管理装置、需要家装置、電力消費管理システム、電力消費管理方法および電力消費管理プログラムを提供することである。
【課題を解決するための手段】
【０００９】
（１）上記課題を解決するために、この発明のある局面に係る電力消費管理装置は、需要家の施設における電気機器の操作履歴に関する操作履歴情報を取得する取得部と、前記取得部によって取得された前記操作履歴情報、および前記施設における時間帯別の電気料金情報に基づいて、前記施設における前記電気機器の利用スケジュールの候補を示す候補情報を作成するスケジュール作成部と、前記スケジュール作成部によって作成された前記候補情報を前記施設に対応する需要家装置へ送信する送信部と、前記候補情報に対する前記需要家の応答を示す応答情報を前記需要家装置から受信する受信部とを備える。
【００１０】
（８）上記課題を解決するために、この発明のある局面に係る需要家装置は、需要家の施設における電気機器の利用スケジュールの候補を示す候補情報を電力消費管理装置から受信する受信部と、前記受信部によって受信された前記候補情報の内容を表示する制御を行う表示制御部と、前記表示制御部によって表示された前記候補情報の内容に対するユーザの応答を示す応答情報を前記電力消費管理装置へ送信する送信部とを備える。
【００１１】
（９）上記課題を解決するために、この発明のある局面に係る電力消費管理システムは、電力消費管理装置と、需要家装置とを備え、前記電力消費管理装置は、需要家の施設における電気機器の操作履歴に関する操作履歴情報を取得する取得部と、前記取得部によって取得された前記操作履歴情報、および前記施設における時間帯別の電気料金情報に基づいて、前記施設における前記電気機器の利用スケジュールの候補を示す候補情報を作成するスケジュール作成部と、前記スケジュール作成部によって作成された前記候補情報を前記施設に対応する前記需要家装置へ送信する送信部と、前記候補情報に対する前記需要家の応答を示す応答情報を前記需要家装置から受信する受信部とを含む。
【００１２】
（１０）また、この発明の別の局面に係る電力消費管理システムは、電力消費管理装置と、需要家装置とを備え、電力消費管理装置が、需要家の施設における電気機器の利用スケジュールの候補を示す候補情報を送信し、前記需要家装置が、前記候補情報を受信して、前記候補情報に対する応答情報を送信し、前記電力消費管理装置が、前記候補に対応する前記電気機器の操作実績を示す操作実績情報を前記需要家装置から受信する。
【００１３】
（１１）上記課題を解決するために、この発明のある局面に係る電力消費管理方法は、電力消費管理装置における電力消費管理方法であって、需要家の施設における電気機器の操作履歴に関する操作履歴情報を取得するステップと、取得した前記操作履歴情報、および前記施設における時間帯別の電気料金情報に基づいて、前記施設における前記電気機器の利用スケジュールの候補を示す候補情報を作成するステップと、作成した前記候補情報を前記施設に対応する需要家装置へ送信するステップと、前記候補情報に対する前記需要家の応答を示す応答情報を前記需要家装置から受信するステップとを含む。
【００１４】
（１２）また、この発明の別の局面に係る電力消費管理方法は、需要家装置における電力消費管理方法であって、需要家の施設における電気機器の利用スケジュールの候補を示す候補情報を電力消費管理装置から受信するステップと、受信した前記候補情報の内容を表示する制御を行うステップと、表示した前記候補情報の内容に対するユーザの応答を示す応答情報を前記電力消費管理装置へ送信するステップとを含む。
【００１５】
（１３）また、この発明の別の局面に係る電力消費管理方法は、電力消費管理装置と、需要家装置とを備える電力消費管理システムにおける電力消費管理方法であって、前記電力消費管理装置が、需要家の施設における電気機器の操作履歴に関する操作履歴情報を取得するステップと、前記電力消費管理装置が、取得した前記操作履歴情報、および前記施設における時間帯別の電気料金情報に基づいて、前記施設における前記電気機器の利用スケジュールの候補を示す候補情報を作成するステップと、前記電力消費管理装置が、作成した前記候補情報を前記施設に対応する前記需要家装置へ送信するステップと、前記電力消費管理装置が、前記候補情報に対する前記需要家の応答を示す応答情報を前記需要家装置から受信するステップとを含む。
【００１６】
（１４）また、この発明の別の局面に係る電力消費管理方法は、電力消費管理装置と、需要家装置とを備える電力消費管理システムにおける電力消費管理方法であって、前記電力消費管理装置が、需要家の施設における電気機器の利用スケジュールの候補を示す候補情報を送信するステップと、前記需要家装置が、前記候補情報を受信して、前記候補情報に対する応答情報を送信するステップと、前記電力消費管理装置が、前記候補に対応する前記電気機器の操作実績を示す操作実績情報を前記需要家装置から受信するステップとを含む。
【００１７】
（１５）上記課題を解決するために、この発明のある局面に係る電力消費管理プログラムは、電力消費管理装置において用いられる電力消費管理プログラムであって、コンピュータに、需要家の施設における電気機器の操作履歴に関する操作履歴情報を取得するステップと、取得した前記操作履歴情報、および前記施設における時間帯別の電気料金情報に基づいて、前記施設における前記電気機器の利用スケジュールの候補を示す候補情報を作成するステップと、作成した前記候補情報を前記施設に対応する需要家装置へ送信するステップと、前記候補情報に対する前記需要家の応答を示す応答情報を前記需要家装置から受信するステップとを実行させるためのプログラムである。
【００１８】
（１６）また、この発明の別の局面に係る電力消費管理プログラムは、需要家装置において用いられる電力消費管理プログラムであって、コンピュータに、需要家の施設における電気機器の利用スケジュールの候補を示す候補情報を電力消費管理装置から受信するステップと、受信した前記候補情報の内容を表示する制御を行うステップと、表示した前記候補情報の内容に対するユーザの応答を示す応答情報を前記電力消費管理装置へ送信するステップとを実行させるためのプログラムである。
【００１９】
本発明は、このような特徴的な処理部を備える電力消費管理装置として実現することができるだけでなく、電力消費管理装置の一部または全部を実現する半導体集積回路として実現することができる。
【００２０】
また、本発明は、このような特徴的な処理部を備える需要家装置として実現することができるだけでなく、需要家装置の一部または全部を実現する半導体集積回路として実現することができる。
【発明の効果】
【００２１】
本発明によれば、ユーザの節電に対する意識を高めることができる。
【図面の簡単な説明】
【００２２】
【図１】図１は、本発明の第１の実施の形態に係る電力消費管理システムの構成を示す図である。
【図２】図２は、本発明の第１の実施の形態に係る電力消費管理システムにおける操作履歴情報Ｒの内容の一例を示す図である。
【図３】図３は、本発明の第１の実施の形態に係る電力消費管理システムにおける施設基本情報Ｂの内容の一例を示す図である。
【図４】図４は、本発明の第１の実施の形態に係る電力消費管理システムにおける天候情報Ｗの内容の一例を示す図である。
【図５】図５は、本発明の第１の実施の形態に係る電力消費管理システムにおける電気料金情報Ｃの内容の一例を示す図である。
【図６】図６は、本発明の第１の実施の形態に係る電力消費管理システムにおける保有ポイント情報Ｐの内容の一例を示す図である。
【図７】図７は、本発明の第１の実施の形態に係る電力消費管理システムにおける対価情報Ｔの内容の一例を示す図である。
【図８】図８は、本発明の第１の実施の形態に係る電力消費管理システムにおけるポイント種別情報Ｋの内容を示す図である。
【図９】図９は、本発明の第１の実施の形態に係る電力消費管理システムにおける候補情報Ｓの内容の一例を示す図である。
【図１０】図１０は、本発明の第１の実施の形態に係る電力消費管理システムにおける電力消費管理処理の一例を示すシーケンス図である。
【図１１】図１１は、本発明の第１の実施の形態に係る電力消費管理システムにおける端末装置のディスプレイに表示された画面の一例を示す図である。
【図１２】図１２は、本発明の第１の実施の形態に係る電力消費管理システムにおける端末装置のディスプレイに表示された画面の他の例を示す図である。
【図１３】図１３は、本発明の第１の実施の形態に係る電力消費管理装置の構成を示す図である。
【図１４】図１４は、本発明の実施の第１の実施の形態に係る端末装置の構成を示す図である。
【図１５】図１５は、本発明の第２の実施の形態に係る電力消費管理装置の構成を示す図である。
【図１６】図１６は、本発明の第２の実施の形態に係る電力消費管理システムにおける端末装置のディスプレイに表示された画面の一例を示す図である。
【発明を実施するための形態】
【００２３】
最初に、本発明の実施の形態の内容を列記して説明する。
【００２４】
（１）本発明の実施の形態に係る電力消費管理装置は、需要家の施設における電気機器の操作履歴に関する操作履歴情報を取得する取得部と、前記取得部によって取得された前記操作履歴情報、および前記施設における時間帯別の電気料金情報に基づいて、前記施設における前記電気機器の利用スケジュールの候補を示す候補情報を作成するスケジュール作成部と、前記スケジュール作成部によって作成された前記候補情報を前記施設に対応する需要家装置へ送信する送信部と、前記候補情報に対する前記需要家の応答を示す応答情報を前記需要家装置から受信する受信部とを備える。
【００２５】
このような構成により、たとえば、住宅等の施設において電気機器を動作させる場合に電気料金が最も安くなる時間帯、または施設においてユーザが日常的に電気機器を動作させている時間帯を、当該電気機器を動作させるべき時間帯とした利用スケジュールの候補を作成することができる。
【００２６】
また、たとえば、施設における電力の消費状況等が表示される需要家装置に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００２７】
（２）好ましくは、前記スケジュール作成部は、前記候補に沿った前記電気機器の操作に対する対価をさらに示す前記候補情報を作成する。
【００２８】
このような構成により、たとえば、利用スケジュールの候補に沿って電気機器が操作された場合に与えるポイントを、ユーザに事前に提示することができるため、利用スケジュールに沿った電気機器の操作を行うことのユーザの動機を高めることができる。
【００２９】
（３）好ましくは、前記受信部は、さらに、前記候補に対応する前記電気機器の操作実績を示す操作実績情報を前記需要家装置から受信する。
【００３０】
このような構成により、たとえば、提示された利用スケジュールの候補に沿って電気機器を操作する予定である旨の応答をユーザが行った場合であって、かつ、当該利用スケジュールの候補に沿って実際に電気機器が操作された場合に、ユーザにポイントを与えることができる。これにより、利用スケジュールに沿った電気機器の操作をより確実にユーザに行わせることができるため、たとえば、電力消費管理装置を運用するサービス事業者が当該ユーザの施設における消費電力の予定値を的確に認識することができる。たとえば、当該サービス事業者と提携関係にある発電事業者が多数の施設における消費電力の予定値を把握した場合、発電所における発電量の調整等を容易に行うことができる。
【００３１】
（４）好ましくは、前記スケジュール作成部は、前記操作履歴情報、前記電気料金情報および前記電気機器の操作に対して与えられる時間帯別の対価を示す対価情報に基づいて前記候補情報を作成する。
【００３２】
このような構成により、ユーザの電気機器に対する操作履歴、電気料金およびユーザに与えられるポイントを考慮して、ユーザがより採用しやすい利用スケジュールの候補を作成することができる。
【００３３】
（５）好ましくは、前記スケジュール作成部は、前記操作履歴情報または前記電気料金情報を優先させた前記候補を示す候補情報を作成する。
【００３４】
このような構成により、たとえば、電力消費管理装置は、ユーザのライフスタイルを重視した利用スケジュールの候補を作成することができる。そして、ユーザは、当該候補に沿うように電気機器を操作することで、無理なく節電を実施することができる。あるいは、電力消費管理装置は、電気料金を抑えることを重視した利用スケジュールの候補を作成することができる。そして、ユーザは、当該候補に沿うように電気機器を操作することで、効果的に節電を実施することができる。
【００３５】
（６）好ましくは、前記操作履歴情報は、前記候補の対象日と同じ曜日における前記電気機器の操作履歴に関する情報である。
【００３６】
このような構成により、たとえば、ユーザが電気機器を使用する曜日がある程度固定化されているような場合に、ユーザのライフスタイルをより反映させた利用スケジュールを作成することができる。
【００３７】
（７）好ましくは、前記電力消費管理装置は、さらに、前記操作履歴情報および前記電気料金情報に基づいて記電気機器の動作設定の候補を示す動作設定情報を作成する動作設定作成部を備え、前記送信部は、前記候補情報および前記動作設定作成部によって作成された前記動作設定情報を前記需要家装置へ送信する。
【００３８】
このような構成により、たとえば、ユーザが日常的に使用する範囲の動作設定であって、電気料金が安くなる動作設定を候補としてユーザに提示することができる。
【００３９】
（８）本発明の実施の形態に係る需要家装置は、需要家の施設における電気機器の利用スケジュールの候補を示す候補情報を電力消費管理装置から受信する受信部と、前記受信部によって受信された前記候補情報の内容を表示する制御を行う表示制御部と、前記表示制御部によって表示された前記候補情報の内容に対するユーザの応答を示す応答情報を前記電力消費管理装置へ送信する送信部とを備える。
【００４０】
このような構成により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００４１】
（９）本発明の実施の形態に係る電力消費管理システムは、電力消費管理装置と、需要家装置とを備え、前記電力消費管理装置は、需要家の施設における電気機器の操作履歴に関する操作履歴情報を取得する取得部と、前記取得部によって取得された前記操作履歴情報、および前記施設における時間帯別の電気料金情報に基づいて、前記施設における前記電気機器の利用スケジュールの候補を示す候補情報を作成するスケジュール作成部と、前記スケジュール作成部によって作成された前記候補情報を前記施設に対応する前記需要家装置へ送信する送信部と、前記候補情報に対する前記需要家の応答を示す応答情報を前記需要家装置から受信する受信部とを含む。
【００４２】
このような構成により、たとえば、住宅等の施設において電気機器を動作させる場合に電気料金が最も安くなる時間帯、または施設においてユーザが日常的に電気機器を動作させている時間帯を、当該電気機器を動作させるべき時間帯とした利用スケジュールの候補を作成することができる。
【００４３】
また、たとえば、施設における電力の消費状況等が表示される需要家装置に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００４４】
（１０）本発明の実施の形態に係る電力消費管理システムは、電力消費管理装置と、需要家装置とを備え、電力消費管理装置が、需要家の施設における電気機器の利用スケジュールの候補を示す候補情報を送信し、前記需要家装置が、前記候補情報を受信して、前記候補情報に対する応答情報を送信し、前記電力消費管理装置が、前記候補に対応する前記電気機器の操作実績を示す操作実績情報を前記需要家装置から受信する。
【００４５】
このような構成により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００４６】
また、表示された利用スケジュールの候補に沿って電気機器を操作する予定である旨の応答をユーザが行った場合であって、かつ、当該利用スケジュールの候補に沿って実際に電気機器が操作された場合に、ユーザにポイントを与えることができる。これにより、利用スケジュールに沿った電気機器の操作をより確実にユーザに行わせることができるため、たとえば、電力消費管理装置を運用するサービス事業者が当該ユーザの施設における消費電力の予定値を的確に認識することができる。たとえば、当該サービス事業者と提携関係にある発電事業者が多数の施設における消費電力の予定値を把握した場合、発電所における発電量の調整等を容易に行うことができる。
【００４７】
（１１）本発明の実施の形態に係る電力消費管理方法は、電力消費管理装置における電力消費管理方法であって、需要家の施設における電気機器の操作履歴に関する操作履歴情報を取得するステップと、取得した前記操作履歴情報、および前記施設における時間帯別の電気料金情報に基づいて、前記施設における前記電気機器の利用スケジュールの候補を示す候補情報を作成するステップと、作成した前記候補情報を前記施設に対応する需要家装置へ送信するステップと、前記候補情報に対する前記需要家の応答を示す応答情報を前記需要家装置から受信するステップとを含む。
【００４８】
このような方法により、たとえば、住宅等の施設において電気機器を動作させる場合に電気料金が最も安くなる時間帯、または施設においてユーザが日常的に電気機器を動作させている時間帯を、当該電気機器を動作させるべき時間帯とした利用スケジュールの候補を作成することができる。
【００４９】
また、たとえば、施設における電力の消費状況等が表示される需要家装置に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００５０】
（１２）本発明の実施の形態に係る電力消費管理方法は、需要家装置における電力消費管理方法であって、需要家の施設における電気機器の利用スケジュールの候補を示す候補情報を電力消費管理装置から受信するステップと、受信した前記候補情報の内容を表示する制御を行うステップと、表示した前記候補情報の内容に対するユーザの応答を示す応答情報を前記電力消費管理装置へ送信するステップとを含む。
【００５１】
このような方法により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００５２】
（１３）本発明の実施の形態に係る電力消費管理方法は、電力消費管理装置と、需要家装置とを備える電力消費管理システムにおける電力消費管理方法であって、前記電力消費管理装置が、需要家の施設における電気機器の操作履歴に関する操作履歴情報を取得するステップと、前記電力消費管理装置が、取得した前記操作履歴情報、および前記施設における時間帯別の電気料金情報に基づいて、前記施設における前記電気機器の利用スケジュールの候補を示す候補情報を作成するステップと、前記電力消費管理装置が、作成した前記候補情報を前記施設に対応する前記需要家装置へ送信するステップと、前記電力消費管理装置が、前記候補情報に対する前記需要家の応答を示す応答情報を前記需要家装置から受信するステップとを含む。
【００５３】
このような方法により、たとえば、住宅等の施設において電気機器を動作させる場合に電気料金が最も安くなる時間帯、または施設においてユーザが日常的に電気機器を動作させている時間帯を、当該電気機器を動作させるべき時間帯とした利用スケジュールの候補を作成することができる。
【００５４】
また、たとえば、施設における電力の消費状況等が表示される需要家装置に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００５５】
（１４）本発明の実施の形態に係る電力消費管理方法は、電力消費管理装置と、需要家装置とを備える電力消費管理システムにおける電力消費管理方法であって、前記電力消費管理装置が、需要家の施設における電気機器の利用スケジュールの候補を示す候補情報を送信するステップと、前記需要家装置が、前記候補情報を受信して、前記候補情報に対する応答情報を送信するステップと、前記電力消費管理装置が、前記候補に対応する前記電気機器の操作実績を示す操作実績情報を前記需要家装置から受信するステップとを含む。
【００５６】
このような方法により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００５７】
また、表示された利用スケジュールの候補に沿って電気機器を操作する予定である旨の応答をユーザが行った場合であって、かつ、当該利用スケジュールの候補に沿って実際に電気機器が操作された場合に、ユーザにポイントを与えることができる。これにより、利用スケジュールに沿った電気機器の操作をより確実にユーザに行わせることができるため、たとえば、電力消費管理装置を運用するサービス事業者が当該ユーザの施設における消費電力の予定値を的確に認識することができる。たとえば、当該サービス事業者と提携関係にある発電事業者が多数の施設における消費電力の予定値を把握した場合、発電所における発電量の調整等を容易に行うことができる。
【００５８】
（１５）本発明の実施の形態に係る電力消費管理プログラムは、電力消費管理装置において用いられる電力消費管理プログラムであって、コンピュータに、需要家の施設における電気機器の操作履歴に関する操作履歴情報を取得するステップと、取得した前記操作履歴情報、および前記施設における時間帯別の電気料金情報に基づいて、前記施設における前記電気機器の利用スケジュールの候補を示す候補情報を作成するステップと、作成した前記候補情報を前記施設に対応する需要家装置へ送信するステップと、前記候補情報に対する前記需要家の応答を示す応答情報を前記需要家装置から受信するステップとを実行させるためのプログラムである。
【００５９】
このような構成により、たとえば、住宅等の施設において電気機器を動作させる場合に電気料金が最も安くなる時間帯、または施設においてユーザが日常的に電気機器を動作させている時間帯を、当該電気機器を動作させるべき時間帯とした利用スケジュールの候補を作成することができる。
【００６０】
また、たとえば、施設における電力の消費状況等が表示される需要家装置に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００６１】
（１６）本発明の実施の形態に係る電力消費管理プログラムは、需要家装置において用いられる電力消費管理プログラムであって、コンピュータに、需要家の施設における電気機器の利用スケジュールの候補を示す候補情報を電力消費管理装置から受信するステップと、受信した前記候補情報の内容を表示する制御を行うステップと、表示した前記候補情報の内容に対するユーザの応答を示す応答情報を前記電力消費管理装置へ送信するステップとを実行させるためのプログラムである。
【００６２】
このような構成により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。したがって、ユーザの節電に対する意識を高めることができる。
【００６３】
以下、本発明の第１の実施の形態について図面を用いて説明する。なお、図中同一または相当部分には同一符号を付してその説明は繰り返さない。また、以下に記載する実施形態の少なくとも一部を任意に組み合わせてもよい。
【００６４】
＜第１の実施の形態＞
［構成および基本動作］
図１は、本発明の第１の実施の形態に係る電力消費管理システムの構成を示す図である。
【００６５】
図１を参照して、電力消費管理システム１０１は、電力消費管理装置１１と、データベース１２と、施設側装置１５と、端末装置（需要家装置）１６と、電気機器１７Ａ，１７Ｂ，１７Ｃとを備える。以下、電気機器１７Ａ，１７Ｂ，１７Ｃの各々を電気機器１７とも称する。
【００６６】
なお、電力消費管理システム１０１は、３つの電気機器１７を備える構成に限らず、より多数または少数の電気機器１７を備える構成であってもよい。
【００６７】
電力消費管理装置１１およびデータベース１２は、サービス事業者１によって運用される。サービス事業者１は、たとえば、ＨＥＭＳアグリゲータであり、住宅等の電力需要施設３における節電を支援する。
【００６８】
電力消費管理装置１１は、たとえばサーバであり、ネットワーク１０経由で施設側装置１５および端末装置１６と接続される。また、電力消費管理装置１１は、データベース１２と接続される。
【００６９】
電気機器１７は、電力需要施設３に設けられた洗濯機、乾燥機、食器洗い機または電気自動車の充電器等の電気機器である。
【００７０】
施設側装置１５は、たとえば、ＨＥＭＳ等のシステムにおいて用いられる装置であり、電力需要施設３に設置される。施設側装置１５は、たとえば、電気機器１７の操作実績を示す操作実績情報を定期的または不定期に作成し、作成した操作実績情報を電力消費管理装置１１へ送信する。
【００７１】
施設側装置１５は、たとえば、電気機器１７の消費電力を測定し、測定結果に基づいて操作実績情報を作成する。具体的には、たとえば、施設側装置１５は、電気機器１７の消費電力の測定結果および予め記憶している電気機器１７の仕様等に基づいて操作実績情報を作成する。
【００７２】
なお、施設側装置１５は、電気機器１７に対するユーザの操作内容を示す情報を電気機器１７から取得し、取得した情報に基づいて操作実績情報を作成してもよい。
【００７３】
また、操作実績情報は、電気機器１７の消費電力そのものを示す情報であってもよい。この場合、電力消費管理装置１１は、操作実績情報および後述する施設基本情報Ｂに基づいて電気機器１７に対する操作実績を取得する。
【００７４】
端末装置１６は、タブレット、スマートフォンまたはパソコン（Ｐｅｒｓｏｎａｌ  Ｃｏｍｐｕｔｅｒ）等の端末装置であり、ネットワーク１０とたとえば無線接続される。
【００７５】
電力消費管理装置１１は、施設側装置１５から受信した操作実績情報の内容をデータベース１２に蓄積する。具体的には、電力消費管理装置１１は、施設側装置１５から受信した操作実績情報に基づいて、データベース１２の記憶する操作履歴情報Ｒを更新する。操作履歴情報Ｒは、ユーザによる電気機器１７の操作履歴を示す情報である。
【００７６】
また、データベース１２は、たとえば、後述する施設基本情報Ｂ、天候情報Ｗ、電気料金情報Ｃ、保有ポイント情報Ｐ、ポイント種別情報Ｋおよび対価情報Ｔを記憶している。
【００７７】
電力消費管理装置１１は、たとえば、データベース１２の記憶する施設基本情報Ｂ、操作履歴情報Ｒ、電気料金情報Ｃ、ポイント種別情報Ｋおよび対価情報Ｔの一部または全部に基づいて、電力需要施設３における電気機器１７の、対象の日（以下、候補対象日とも称する）における利用スケジュールの候補（以下、利用スケジュール候補とも称する）を示す候補情報Ｓを作成する。そして、電力消費管理装置１１は、作成した候補情報Ｓを端末装置１６へ送信する。候補対象日は、たとえば、候補情報Ｓの作成日の翌日である。利用スケジュール候補は、たとえば、電気機器１７ごとに複数作成される。
【００７８】
詳細には、利用スケジュール候補は、たとえば、対応の電気機器１７の使用が推奨される時間帯（以下、使用推奨時間帯とも称する）である。
【００７９】
より詳細には、利用スケジュール候補すなわち使用推奨時間帯は、たとえば、対応の電気機器１７を使用した場合における電気料金が最も安くなる時間帯である。また、使用推奨時間帯の他の例は、たとえば、対応の電気機器１７をユーザが日常的に使用している時間帯である。
【００８０】
端末装置１６は、たとえば、電力消費管理装置１１から受信した候補情報Ｓの内容を、自己のディスプレイに表示することによりユーザに提示する。
【００８１】
ユーザは、端末装置１６のディスプレイを確認し、電気機器１７ごとに、複数の利用スケジュール候補のうちのいずれかを選択する。
【００８２】
具体的には、ユーザは、複数の利用スケジュール候補のうちのいずれかを採用すると決めた場合、すなわち、複数の利用スケジュール候補のうちのいずれかに沿って対応の電気機器１７を操作すると決めた場合、端末装置１６を操作して、採用する利用スケジュール候補を選択する。
【００８３】
端末装置１６は、ユーザが利用スケジュール候補を選択した場合、選択された利用スケジュール候補を示す応答情報Ｙを電力消費管理装置１１へ送信する。一方、端末装置１６は、たとえば、利用スケジュール候補をディスプレイに表示してから所定時間内に、ユーザがいずれの利用スケジュール候補も選択しなかった場合、ユーザが利用スケジュール候補を採用しない旨を示す応答情報Ｎを電力消費管理装置１１へ送信する。
【００８４】
電力消費管理装置１１は、端末装置１６から応答情報Ｙを受信して、当該応答情報Ｙの示す利用スケジュール候補に沿ってユーザが電気機器１７を操作する予定であること、つまり、電気機器１７が当該応答情報Ｙの示す利用スケジュール候補に沿って動作することを認識する。
【００８５】
その後、電力消費管理装置１１は、施設側装置１５から定期的または不定期に受信する操作実績情報に基づいて、電気機器１７が利用スケジュール候補に沿って操作されたか否かを判定する。
【００８６】
そして、電力消費管理装置１１は、電力需要施設３における電気機器１７がユーザの採用した利用スケジュール候補に沿って操作されたと判定した場合、電気機器１７の操作に対する対価として、金銭、景品、またはクーポン等と交換可能なポイントを電力需要施設３へ付与する。
【００８７】
以下、電力需要施設３における電気機器１７がユーザの採用した利用スケジュール候補に沿って操作された場合に、電力需要施設３に付与されるポイントを付与ポイントとも称する。
【００８８】
図２は、本発明の第１の実施の形態に係る電力消費管理システムにおける操作履歴情報Ｒの内容の一例を示す図である。
【００８９】
図２を参照して、表Ｒ１は、たとえば電力需要施設３に対応する「需要家ＩＤ（ｉｄｅｎｔｉｆｉｃａｔｉｏｎ）」と、表Ｒ１の対象の「年月日」と、電力需要施設３における電気料金の料金メニューを示す「電気料金の契約種別」と、上記「年月日」における電気機器１７に対する「操作履歴」と、「スケジュール採用履歴」と、「スケジュール実施履歴」とを示す。
【００９０】
具体的には、たとえば、「スケジュール採用履歴」は、電気機器１７ごとの、利用スケジュール候補の採用履歴である。
【００９１】
また、「スケジュール実施履歴」は、電気機器１７ごとの、採用された利用スケジュール候補に沿った操作が行われたか否かの履歴である。
【００９２】
図３は、本発明の第１の実施の形態に係る電力消費管理システムにおける施設基本情報Ｂの内容の一例を示す図である。
【００９３】
図３を参照して、表Ｂ１は、「需要家ＩＤ」と、「電気料金の契約種別」と、電力需要施設３の所在を示す「居住エリア」と、電力需要施設３に居住する世帯の家族構成を示す「家族構成」と、電力需要施設３が戸建であるか集合住宅であるかの別を示す「住宅形態」と、電力需要施設３における電気機器１７の消費電力等の仕様を示す「電気機器情報」とを示す。
【００９４】
「電気機器情報」は、たとえば、電気機器１７の消費電力の測定値から当該電気機器１７の動作状態、すなわちユーザが電気機器１７に行った操作を推定可能な内容を含む。
【００９５】
図４は、本発明の第１の実施の形態に係る電力消費管理システムにおける天候情報Ｗの内容の一例を示す図である。
【００９６】
図４を参照して、表Ｗ１は、電力需要施設３の所在を示す「居住エリア」における各日の「時間帯別天候情報」を示す。「時間帯別天候情報」は、たとえば、対応する日における時間帯別の天候すなわち天気、気温および湿度等を示す情報である。また、たとえば、時間帯別天候情報は、対応する日が未来の場合、当該日の天候の予報を示し、対応する日が過去の場合、当該日の天候の記録を示す。
【００９７】
図５は、本発明の第１の実施の形態に係る電力消費管理システムにおける電気料金情報Ｃの内容の一例を示す図である。
【００９８】
図５を参照して、表Ｃ１は、電力需要施設３における「電気料金の契約種別」と、表Ｃ１の対象の「年月日」と、当該年月日における時間帯別の電気料金の単価を示す。時間帯別の電気料金の単価は、たとえば電気料金の契約種別によって異なる。
【００９９】
図６は、本発明の第１の実施の形態に係る電力消費管理システムにおける保有ポイント情報Ｐの内容の一例を示す図である。
【０１００】
図６を参照して、表Ｐ１は、「需要家ＩＤ」と、電力需要施設３にこれまでに付与したポイントの合計値を示す「累計ポイント」と、電力需要施設３にこれまでに付与したポイントのうち、既に使用されたポイントを示す「使用ポイント」と、電力需要施設３にこれまでに付与したポイントのうち、使用されずに残っているポイントを示す「未使用ポイント」と、「ポイント付与履歴」とを示す。「ポイント付与履歴」は、これまでに電力需要施設３にポイントを付与した年月日と付与したポイントのポイント数とを対応付けた情報である。
【０１０１】
図７は、本発明の第１の実施の形態に係る電力消費管理システムにおける対価情報Ｔの内容の一例を示す図である。図８は、本発明の第１の実施の形態に係る電力消費管理システムにおけるポイント種別情報Ｋの内容を示す図である。
【０１０２】
図７を参照して、表Ｔ１は、表Ｔ１の対象の「年月日」における各時間帯の「ポイント種別」を示している。たとえば、電力需要施設３において、「６：００〜７：００」の時間帯に候補情報Ｓの示す利用スケジュール候補に従って電気機器１７を動作させる操作が行われた場合、電力需要施設３には「ポイント種別Ａ」のポイントが付与される。
【０１０３】
図８を参照して、表Ｋ１は、「ポイント種別」と電力需要施設３に付与されるポイントのポイント数との対応関係を示している。
【０１０４】
図７における表Ｔ１の「ポイント種別Ａ」は、表Ｋ１に照らすとｘｘポイントである。つまり、電力需要施設３に「ポイント種別Ａ」のポイントが付与される、とは、電力需要施設３にｘｘポイントが付与されることである。
【０１０５】
図９は、本発明の第１の実施の形態に係る電力消費管理システムにおける候補情報Ｓの内容の一例を示す図である。
【０１０６】
図９を参照して、表Ｓ１は、「需要家ＩＤ」と、表Ｓ１の対象の「年月日」と、複数の利用スケジュール候補とを示す。詳細には、表Ｓ１は、１つの電気機器１７に対して複数の利用スケジュール候補つまり使用推奨時間帯を示し、利用スケジュール候補ごとに、ポイント種別と、付与ポイントとを示す。
【０１０７】
具体的には、表Ｓ１では、「電気機器１７Ａ」について、「６：００〜７：００」を使用推奨時間帯とする利用スケジュール候補と、「２０：００〜２１：００」を使用推奨時間帯とする利用スケジュール候補と、「２３：００〜２４：００」を使用推奨時間帯とする利用スケジュール候補とが示されている。そして、たとえば、「６：００〜７：００」を使用推奨時間帯とする利用スケジュール候補に対応するポイント種別は、ポイント種別Ａであり、付与ポイントはｘｘポイントである。
【０１０８】
電力消費管理装置１１は、たとえば、上述のように、データベース１２の記憶している施設基本情報Ｂ、操作履歴情報Ｒ、電気料金情報Ｃ、ポイント種別情報Ｋおよび対価情報Ｔに基づいて、表Ｓ１すなわち候補情報Ｓを作成する。
【０１０９】
具体的には、たとえば、電力消費管理装置１１は、操作履歴情報Ｒの内容を優先した利用スケジュール候補（以下、操作履歴優先スケジュール候補とも称する。）と、電気料金情報Ｃの内容を優先した利用スケジュール候補（以下、電気料金優先スケジュール候補とも称する。）とを示す候補情報Ｓを作成する。
【０１１０】
より具体的には、たとえば、操作履歴優先スケジュール候補は、ユーザが電気機器１７Ａを使用する頻度の高い時間帯を電気機器１７Ａの使用推奨時間帯とした利用スケジュール候補である。たとえば、ユーザが電気機器１７Ａを使用する頻度が比較的度高い時間帯が複数ある場合、電力消費管理装置１１は、これら複数の時間帯のうちの電気料金が最も安い時間帯を使用推奨時間帯とした操作履歴優先スケジュール候補を作成する。
【０１１１】
電気料金は、たとえば、電力需要施設３における電気機器１７の消費電力等の仕様を示す施設基本情報Ｂ、および電気料金情報Ｃに基づいて算出される。
【０１１２】
また、電気料金優先スケジュール候補は、たとえば、電気機器１７Ａを使用した場合に電気料金が比較的安い時間帯を電気機器１７Ａの使用推奨時間帯とした利用スケジュール候補である。たとえば、電気料金が比較的安い時間帯が複数ある場合、電力消費管理装置１１は、これら複数の時間帯のうちユーザが電気機器１７Ａを使用する頻度が最も高い時間帯を電気機器１７Ａの使用推奨時間帯とした電気料金優先スケジュール候補を設定する。
【０１１３】
［動作］
次に、本発明の第１の実施の形態に係る電力消費管理システムにおける電力消費管理処理について説明する。
【０１１４】
電力消費管理システム１０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１１５】
図１０は、本発明の第１の実施の形態に係る電力消費管理システムにおける電力消費管理処理の一例を示すシーケンス図である。
【０１１６】
図１０を参照して、まず、施設側装置１５は、電力需要施設３における電気機器１７の消費電力を定期的または不定期に測定し、測定結果に基づいて操作実績情報を作成する。そして、施設側装置１５は、作成した操作実績情報を電力消費管理装置１１へ送信する（ステップＳ１１）。
【０１１７】
電力消費管理装置１１は、施設側装置１５から操作実績情報を受信し、受信した操作実績情報の内容をデータベース１２に蓄積する（ステップＳ１２）。具体的には、たとえば、電力消費管理装置１１は、施設側装置１５から受信した操作実績情報に基づいて、データベース１２の記憶する操作履歴情報Ｒを更新する。
【０１１８】
次に、端末装置１６は、ユーザの操作を受け付けて（ステップＳ１３）、候補情報Ｓを要求するための候補要求を電力消費管理装置１１へ送信する（ステップＳ１４）。
【０１１９】
次に、電力消費管理装置１１は、端末装置１６から候補要求を受信して、データベース１２から操作履歴情報Ｒ等を取得する（ステップＳ１５）。詳細には、電力消費管理装置１１は、端末装置１６から候補要求を受信すると、データベース１２から施設基本情報Ｂ、操作履歴情報Ｒ、電気料金情報Ｃ、ポイント種別情報Ｋおよび対価情報Ｔを取得する。そして、電力消費管理装置１１は、取得したこれらの情報に基づいて、候補情報Ｓを作成する（ステップＳ１６）。
【０１２０】
次に、電力消費管理装置１１は、作成した候補情報Ｓを端末装置１６へ送信する（ステップＳ１７）。
【０１２１】
次に、端末装置１６は、電力消費管理装置１１から候補情報Ｓを受信して、受信した候補情報Ｓの内容を自己のディスプレイに表示する制御を行う（ステップＳ１８）。具体的には、ディスプレイには、電気機器１７ごとに複数の利用スケジュール候補が表示される。
【０１２２】
ユーザは、たとえば、各電気機器１７について、採用する利用スケジュール候補を選択する。具体的には、ユーザは、ディスプレイの表示をタップまたはクリックすることにより、採用する利用スケジュール候補を端末装置１６に入力する。
【０１２３】
次に、端末装置１６は、ユーザによる操作を受け付け（ステップＳ１９）、ユーザの選択した利用スケジュール候補を示す応答情報Ｙを電力消費管理装置１１へ送信する（ステップＳ２０）。
【０１２４】
電力消費管理装置１１は、端末装置１６から応答情報Ｙを受信して、受信した応答情報Ｙの示す利用スケジュール候補を記憶する。
【０１２５】
ユーザは、採用した利用スケジュール候補つまり使用推奨時間になると、当該利用スケジュール候補に対応する電気機器１７を操作することにより当該電気機器１７を動作させる。
【０１２６】
電気機器１７は、ユーザの操作によって動作を開始すると、たとえば所定時間動作した後停止する。具体的には、たとえば、電気機器１７が洗濯機である場合、当該電気機器１７は、ユーザの操作を受けて動作を開始した後、洗いの工程、すすぎの工程、および脱水の工程を終えると動作を停止する。
【０１２７】
次に、施設側装置１５は、電気機器１７の操作実績情報を電力消費管理装置１１へ送信する（ステップＳ２１）。
【０１２８】
電力消費管理装置１１は、施設側装置１５から操作実績情報を受信して、受信した操作実績情報に基づいて、ユーザが、採用した利用スケジュール候補に沿って電気機器１７を操作したか否かを判定する。
【０１２９】
そして、電力消費管理装置１１は、ユーザが当該利用スケジュール候補に沿って電気機器１７を操作したと判定した場合、電力需要施設３にポイントを付与する。具体的には、電力消費管理装置１１は、データベース１２の記憶する保有ポイント情報Ｐを更新する（ステップＳ２２）。
【０１３０】
次に、電力消費管理装置１１は、電力需要施設３に新たに付与されたポイントを示すポイント付与情報を端末装置１６へ送信する（ステップＳ２３）。
【０１３１】
図１１は、本発明の第１の実施の形態に係る電力消費管理システムにおける端末装置のディスプレイに表示された画面の一例を示す図である。
【０１３２】
図１１を参照して、画面には、端末装置１６が電力消費管理装置１１から受信した候補情報Ｓの内容、すなわち、電気機器１７ごとの複数の利用スケジュール候補が表示されている。
【０１３３】
詳細には、画面の上段において、電気機器１７Ａの利用スケジュール候補である、６時から７時を使用推奨時間とする利用スケジュール候補Ａｔ１と、２０時から２１時を使用推奨時間とする利用スケジュール候補Ａｔ２と、２３時から２４時を使用推奨時間とする利用スケジュール候補Ａｔ３とが示されている。
【０１３４】
また、画面の中段において、電気機器１７Ｂの利用スケジュール候補である、７時から８時を使用推奨時間とする利用スケジュール候補Ｂｔ１と、１９時から２０時を使用推奨時間とする利用スケジュール候補Ｂｔ２と、２２時から２３時を使用推奨時間とする利用スケジュール候補Ｂｔ３とが示されている。
【０１３５】
また、画面の下段において、電気機器１７Ｃの利用スケジュール候補である、６時から７時を使用推奨時間とする利用スケジュール候補Ｃｔ１と、１０時から１１時を使用推奨時間とする利用スケジュール候補Ｃｔ２と、１９時から２０時を使用推奨時間とする利用スケジュール候補Ｃｔ３とが示されている。
【０１３６】
また、各利用スケジュール候補には、電気料金の表示が付加されている。また、利用スケジュール候補Ａｔ１，Ｂｔ１，Ｃｔ１には、高いポイントが付与されることを示す星印が付加されている。また、利用スケジュール候補Ａｔ３，Ｂｔ３，Ｃｔ３には、電気料金が最も安いことを示す丸印が付加されている。
【０１３７】
たとえば、利用スケジュール候補Ａｔ１，Ａｔ２、Ｂｔ１，Ｂｔ２，Ｃｔ１，Ｃｔ２は、操作履歴情報Ｒの内容を優先的に用いて作成された操作履歴優先スケジュール候補である。また、利用スケジュール候補Ａｔ３，Ｂｔ３，Ｃｔ３は、電気料金情報Ｃの内容を優先的に用いて作成された電気料金優先スケジュール候補である。
【０１３８】
ユーザは、電気機器１７ごとに、採用する利用スケジュール候補を選択する。具体的には、たとえば、ユーザは、電気機器１７Ａについて、利用スケジュール候補Ａｔ１〜Ａｔ３のいずれか１つを選択し、選択した利用スケジュール候補の表示をタップまたはクリックする。
【０１３９】
図１２は、本発明の第１の実施の形態に係る電力消費管理システムにおける端末装置のディスプレイに表示された画面の他の例を示す図である。
【０１４０】
図１２は、たとえば、図１１に示す画面における利用スケジュール候補Ａｔ１をユーザがタップまたはクリックした場合に、端末装置１６のディスプレイに表示される画面を示している。
【０１４１】
画面には、「スケジュールを登録しますか？」の文字と、対象の電気機器１７Ａと、電気機器１７Ａが動作を行うべき時間帯を示す「操作対象時間帯」と、利用スケジュール候補Ａｔ１に沿って電気機器１７Ａを操作した場合の「電気料金」および付与される「ポイント」とが表示されている。
【０１４２】
また、画面には、利用スケジュール候補Ａｔ１の採用を取り消すための「取り消し」ボタンと、利用スケジュール候補Ａｔ１を電力消費管理装置１１に登録するための「登録」ボタンとが表示されている。
【０１４３】
たとえば、ユーザが「登録」ボタンをタップまたはクリックすると、端末装置１６は、利用スケジュール候補Ａｔ１を示す応答情報Ｙを電力消費管理装置１１へ送信する。
【０１４４】
図１３は、本発明の第１の実施の形態に係る電力消費管理装置の構成を示す図である。
【０１４５】
図１３を参照して、電力消費管理装置１１は、記憶部２２と、処理部（スケジュール作成部）２３と、取得部２４と、送信部２５と、受信部２６とを備える。
【０１４６】
受信部２６は、電力需要施設３における施設側装置１５から定期的または不定期に送信される操作実績情報を受信し、受信した操作実績情報を処理部２３へ出力する。
【０１４７】
処理部２３は、受信部２６から受けた操作実績情報に基づいて、データベース１２の記憶する操作履歴情報Ｒ２を更新する。
【０１４８】
受信部２６は、端末装置１６から候補要求を受信し、受信した候補要求を処理部２３へ出力する。
【０１４９】
取得部２４は、処理部２３が受信部２６から候補要求を受けると、データベース１２から施設基本情報Ｂ、操作履歴情報Ｒ、電気料金情報Ｃ、ポイント種別情報Ｋおよび対価情報Ｔを取得し、取得したこれらの情報を処理部２３へ出力する。
【０１５０】
処理部２３は、取得部２４から受けたこれらの情報の一部または全部に基づいて、候補情報Ｓを作成する。
【０１５１】
たとえば、処理部２３は、電気機器１７の操作履歴に関する操作履歴情報Ｒ、および、電力需要施設３における時間帯別の電気料金を示す電気料金情報Ｃに基づいて、複数の利用スケジュール候補を作成する。
【０１５２】
たとえば、処理部２３は、操作履歴情報Ｒの内容を優先させた操作履歴優先スケジュール候補、および電気料金情報Ｃの内容を優先させた電気料金優先スケジュール候補を作成する。
【０１５３】
なお、処理部２３は、操作履歴優先スケジュール候補および電気料金優先スケジュール候補のいずれか一方を作成する構成であってもよい。
【０１５４】
また、処理部２３が利用スケジュールを作成する際に用いる操作履歴情報Ｒは、候補対象日と同じ曜日の電気機器の操作履歴に関する情報であってもよい。具体的には、たとえば、処理部２３は、操作履歴情報Ｒの示す電気機器１７の操作履歴のうち、候補対象日と同じ曜日における操作履歴を確認し、当該曜日において電気機器１７が最も頻繁に動作している時間帯を求める。そして、処理部２３は、求めた時間帯を使用推奨時間帯とする利用スケジュールを作成する。
【０１５５】
また、処理部２３は、たとえば、操作履歴情報Ｒおよび電気料金情報Ｃに加えて、さらに、電気機器１７の操作に対して与えられる対価すなわち付与ポイントを示す対価情報Ｔに基づいて、利用スケジュール候補を作成してもよい。たとえば、処理部２３は、ユーザが電気機器１７Ａを使用することが多い時間帯が複数あって、かつ当該複数の時間帯における電気料金が同程度である場合、より付与ポイントの多い時間帯を使用推奨時間帯とした利用スケジュール候補を作成する。
【０１５６】
候補情報Ｓは、利用スケジュール候補に加えて、利用スケジュール候補に沿った電気機器１７の操作に対する対価をさらに示す。具体的には、たとえば、候補情報Ｓは、利用スケジュール候補および利用スケジュール候補に対応する付与ポイントを示す。
【０１５７】
処理部２３は、作成した候補情報Ｓを送信部２５へ出力する。送信部２５は、処理部２３によって作成された候補情報Ｓを端末装置１６へ送信する。
【０１５８】
受信部２６は、たとえば端末装置１６から送信された応答情報Ｙを受信し、受信した応答情報Ｙを処理部２３へ出力する。
【０１５９】
処理部２３は、受信部２６から受けた応答情報Ｙの内容、すなわち、電力需要施設３におけるユーザが採用した利用スケジュール候補を記憶部２２に保存する。
【０１６０】
処理部２３は、受信部２６から新たに受けた操作実績情報に基づいて、ユーザが採用した利用スケジュール候補すなわち記憶部２２に保存した利用スケジュール候補に沿って電気機器１７が操作されたか否かを判定する。そして、処理部２３は、記憶部２２に保存した利用スケジュール候補に沿って電気機器１７が操作されたと判定した場合、当該電力需要施設３にポイントを付与する処理を行う。具体的には、処理部２３は、データベース１２の記憶する保有ポイント情報Ｐを更新する。
【０１６１】
また、処理部２３は、電力需要施設３に付与したポイントを示すポイント付与情報を作成し、作成したポイント付与情報を送信部２５へ送信する。送信部２５は、処理部２３から受けたポイント付与情報を端末装置１６へ送信する。
【０１６２】
図１４は、本発明の実施の第１の実施の形態に係る端末装置の構成を示す図である。
【０１６３】
図１４を参照して、端末装置１６は、受信部４１と、処理部（表示制御部）４２と、送信部４３と、操作受付部４４と、表示部４５とを備える。
【０１６４】
受信部４１は、電力需要施設３における電気機器１７の利用スケジュールの候補を示す候補情報Ｓを電力消費管理装置１１から受信し、受信した候補情報Ｓを処理部４２へ出力する。
【０１６５】
処理部４２は、受信部４１によって受信された候補情報Ｓの内容を表示する制御を行う。具体的には、処理部４２は、たとえば、候補情報Ｓに基づいて、図１１に示す画面の内容を示す表示情報を作成し、作成した表示情報を表示部４５へ出力する。
【０１６６】
表示部４５は、たとえばディスプレイを含み、処理部４２から受けた表示情報を当該ディスプレイに表示する。
【０１６７】
操作受付部４４は、たとえば、ユーザがディスプレイに表示された画面に対して行ったタップまたはクリックの操作を受け付け、受け付けた操作の内容を処理部４２に通知する。具体的には、たとえば、操作受付部４４は、図１１に示す画面における利用スケジュール候補Ａｔ１がユーザによりタップまたはクリックされた場合、利用スケジュール候補Ａｔ１がタップまたはクリックされたことを処理部４２へ通知する。また、操作受付部４４は、たとえば、図１２に示す画面における「登録」ボタンがユーザによりタップまたはクリックされた場合、「登録」ボタンがタップまたはクリックされたことを処理部４２へ通知する。
【０１６８】
処理部４２は、たとえば、操作受付部４４から、利用スケジュール候補Ａｔ１がタップまたはクリックされたことの通知を受け、さらに、「登録」ボタンがタップまたはクリックされたことの通知を受けると、利用スケジュール候補Ａｔ１を示す応答情報Ｙを作成し、作成した応答情報Ｙを送信部４３へ出力する。
【０１６９】
送信部４３は、処理部４２によってディスプレイに表示された候補情報Ｓの内容に対するユーザの応答を示す応答情報Ｙを、電力消費管理装置１１へ送信する。具体的には、送信部４３は、処理部４２から受けた応答情報Ｙを電力消費管理装置１１へ送信する。
【０１７０】
なお、本発明の第１の実施の形態に係る電力消費管理システム１０１では、電力消費管理装置１１は、データベース１２から操作履歴情報Ｒ、施設基本情報Ｂ、天候情報Ｗ、電気料金情報Ｃ、保有ポイント情報Ｐ、ポイント種別情報Ｋおよび対価情報Ｔを取得する構成であるとしたが、これに限定するものではなく、これらの情報の全部または一部を他の装置から取得する構成であってもよい。
【０１７１】
また、本発明の第１の実施の形態に係る電力消費管理システム１０１では、電力消費管理装置１１における送信部２５は、候補情報Ｓを端末装置１６へ送信する構成であるとしたが、これに限定するものではない。たとえば、送信部２５は、候補情報Ｓを施設側装置１５へ送信する構成であってもよい。この場合、施設側装置１５は、たとえば図１４に示す端末装置１６と同様の構成を含み、ユーザの操作を受けて、電力消費管理装置１１へ応答情報Ｙ等を送信する。
【０１７２】
ところで、たとえば、ＨＥＭＳでは、当該ＨＥＭＳの設けられた電力需要施設すなわち住宅における消費電力の推移等を表示する場合がある。このように、住宅の電力消費状況等を可視化することにより、たとえば当該住宅の居住者であるユーザの節電に対する意識を高く保つことができる。
【０１７３】
しかしながら、たとえばユーザによる住宅の電力消費状況等の確認が継続しない場合、当該ユーザの節電に対する意識が低下してしまうことが考えられる。
【０１７４】
また、たとえば住宅に適用される電気料金メニューによっては、電気料金の単価が時間帯によって異なる場合がある。このような場合、いつ電気機器を動作させれば住宅における電気料金を抑えることができるか容易に分からないことがあるため、ユーザの節電に対する意識はより低下してしまう。
【０１７５】
これに対して、本発明の第１の実施の形態に係る電力消費管理装置では、取得部２４は、たとえばユーザである需要家の施設すなわち電力需要施設３における電気機器１７の操作履歴に関する操作履歴情報Ｒを取得する。処理部２３（スケジュール作成部）は、取得部２４によって取得された操作履歴情報Ｒ、および電力需要施設３における時間帯別の電気料金情報Ｃに基づいて、電力需要施設３における電気機器１７の利用スケジュールの候補を示す候補情報Ｓを作成する．送信部２５は、処理部２３によって作成された候補情報Ｓを電力需要施設３に対応する端末装置１６（需要家装置）へ送信する。受信部２６は、候補情報Ｓに対する需要家の応答を示す応答情報Ｙまたは応答情報Ｎを端末装置１６から受信する。
【０１７６】
また、本発明の第１の実施の形態に係る電力消費管理システムは、電力消費管理装置１１と、端末装置１６とを備える。電力消費管理装置１１では、取得部２４は、たとえばユーザである需要家の施設すなわち電力需要施設３における電気機器１７の操作履歴に関する操作履歴情報Ｒを取得する。処理部２３は、取得部２４によって取得された操作履歴情報Ｒ、および電力需要施設３における時間帯別の電気料金情報Ｃに基づいて、電力需要施設３における電気機器１７の利用スケジュールの候補を示す候補情報Ｓを作成する．送信部２５は、処理部２３によって作成された候補情報Ｓを電力需要施設３に対応する端末装置１６（需要家装置）へ送信する。受信部２６は、候補情報Ｓに対する需要家の応答を示す応答情報Ｙまたは応答情報Ｎを端末装置１６から受信する。
【０１７７】
このような構成により、たとえば、住宅等の電力需要施設３において電気機器１７を動作させる場合に電気料金が最も安くなる時間帯、または電力需要施設３においてユーザが日常的に電気機器１７を動作させている時間帯を、当該電気機器１７を動作させるべき時間帯とした利用スケジュールの候補を作成することができる。
【０１７８】
また、たとえば、電力需要施設３における電力の消費状況等が表示される端末装置１６に、作成した利用スケジュールの候補を表示させることができる。そして、ユーザが当該候補に対して応答を行ったか否かを確認することができるため、応答を行ったユーザに、たとえば応答の対価としてポイントを与えることができる。これにより、ユーザの端末装置１６を操作する頻度を高め、電力需要施設３における電力の消費状況等、節電に有用な他の情報をユーザが確認する機会を増やすことができる。
【０１７９】
したがって、本発明の第１の実施の形態に係る電力消費管理装置および電力消費管理システムでは、ユーザの節電に対する意識を高めることができる。
【０１８０】
また、本発明の第１の実施の形態に係る電力消費管理装置では、処理部２３は、上記候補に沿った電気機器１７の操作に対する対価をさらに示す候補情報Ｓを作成する。
【０１８１】
このような構成により、たとえば、利用スケジュールの候補に沿って電気機器１７が操作された場合に与えるポイントを、ユーザに事前に提示することができるため、利用スケジュールに沿った電気機器１７の操作を行うことのユーザの動機を高めることができる。
【０１８２】
また、本発明の第１の実施の形態に係る電力消費管理装置では、受信部２６は、さらに、上記候補に対応する電気機器１７の操作実績を示す操作実績情報を端末装置１６から受信する。
【０１８３】
このような構成により、たとえば、提示された利用スケジュールの候補に沿って電気機器１７を操作する予定である旨の応答をユーザが行った場合であって、かつ、当該利用スケジュールの候補に沿って実際に電気機器１７が操作された場合に、ユーザにポイントを与えることができる。これにより、利用スケジュールに沿った電気機器１７の操作をより確実にユーザに行わせることができるため、たとえば、電力消費管理装置１１を運用するサービス事業者１が当該ユーザの電力需要施設３における消費電力の予定値を的確に認識することができる。たとえば、サービス事業者１と提携関係にある発電事業者が多数の電力需要施設３における消費電力の予定値を把握した場合、発電所における発電量の調整等を容易に行うことができる。
【０１８４】
また、本発明の第１の実施の形態に係る電力消費管理装置では、処理部２３は、操作履歴情報Ｒ、電気料金情報Ｃおよび電気機器１７の操作に対して与えられる時間帯別の対価を示す対価情報Ｔに基づいて候補情報Ｓを作成する。
【０１８５】
このような構成により、ユーザの電気機器１７に対する操作履歴、電気料金、およびユーザに与えられるポイントを考慮して、ユーザがより採用しやすい利用スケジュールの候補を作成することができる。
【０１８６】
また、本発明の第１の実施の形態に係る電力消費管理装置では、処理部２３は、操作履歴情報Ｒまたは電気料金情報Ｃを優先させた上記候補を示す候補情報Ｓを作成する。
【０１８７】
このような構成により、たとえば、電力消費管理装置１１は、ユーザのライフスタイルを重視した利用スケジュールの候補を作成することができる。そして、ユーザは、当該候補に沿うように電気機器１７を操作することで、無理なく節電を実施することができる。あるいは、電力消費管理装置は、電気料金を抑えることを重視した利用スケジュールの候補を作成することができる。そして、ユーザは、当該候補に沿うように電気機器１７を操作することで、効果的に節電を実施することができる。
【０１８８】
また、本発明の第１の実施の形態に係る電力消費管理装置では、操作履歴情報Ｒは、候補の対象日と同じ曜日における電気機器１７の操作履歴に関する情報である。
【０１８９】
このような構成により、たとえば、ユーザが電気機器１７を使用する曜日がある程度固定化されているような場合に、ユーザのライフスタイルをより反映させた利用スケジュールを作成することができる。
【０１９０】
また、本発明の第１の実施の形態に係る端末装置１６（需要家装置）では、受信部４１は、電力需要施設３における電気機器１７の利用スケジュールの候補を示す候補情報Ｓを電力消費管理装置１１から受信する。処理部４２（表示制御部）は、受信部４１によって受信された候補情報Ｓの内容を表示する制御を行う。送信部４３は、処理部４２によって表示された候補情報Ｓの内容に対するユーザの応答を示す応答情報Ｙまたは応答情報Ｎを電力消費管理装置１１へ送信する。
【０１９１】
このような構成により、たとえば、利用スケジュールの候補を、施設における消費電力の推移等を確認可能な需要家装置に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの需要家装置を操作する頻度を高め、施設における電力の消費状況等、節電に有用な他の情報をユーザが確認する機会を増やすことができる。
【０１９２】
したがって、本発明の第１の実施の形態に係る端末装置すなわち需要家装置では、ユーザの節電に対する意識を高めることができる。
【０１９３】
また、本発明の第１の実施の形態に係る電力消費管理システムでは、電力消費管理装置１１は、電力需要施設３における電気機器１７の利用スケジュールの候補を示す候補情報Ｓを送信する。端末装置１６は、当該候補情報Ｓを受信して、受信した候補情報Ｓに対する応答情報Ｙまたは応答情報Ｎを送信する。電力消費管理装置１１は、上記候補に対応する電気機器１７の操作実績を示す操作実績情報を端末装置１６から受信する。
【０１９４】
このような構成により、たとえば、利用スケジュールの候補を、施設における消費電力の推移等を確認可能な端末装置１６に表示させることができる。そして、ユーザが当該候補に対して応答を行ったか否かを電力消費管理装置において確認することができるため、応答を行ったユーザに、たとえば応答の対価としてポイントを与えることができる。これにより、ユーザの端末装置１６を操作する頻度を高め、施設における電力の消費状況等、節電に有用な他の情報をユーザが確認する機会を増やすことができる。したがって、本発明の第１の実施の形態に係る電力消費管理システムでは、ユーザの節電に対する意識を高めることができる。
【０１９５】
また、表示された利用スケジュールの候補に沿って電気機器１７を操作する予定である旨の応答をユーザが行った場合であって、かつ、当該利用スケジュールの候補に沿って実際に電気機器１７が操作された場合に、ユーザにポイントを与えることができる。これにより、利用スケジュールに沿った電気機器１７の操作をより確実にユーザに行わせることができるため、たとえば、電力消費管理装置を運用するサービス事業者が当該ユーザの施設における消費電力の予定値を的確に認識することができる。たとえば、当該サービス事業者と提携関係にある発電事業者が多数の施設における消費電力の予定値を把握した場合、発電所における発電量の調整等を容易に行うことができる。
【０１９６】
次に、本発明の他の実施の形態について図面を用いて説明する。なお、図中同一または相当部分には同一符号を付してその説明は繰り返さない。
【０１９７】
＜第２の実施の形態＞
本実施の形態は、第１の実施の形態に係る電力消費管理システムと比べて、さらに、電力需要施設における電気機器の動作設定の候補を提示する電力消費管理システムに関する。以下で説明する内容以外は、第１の実施の形態に係る電力消費管理システムと同様である。
【０１９８】
図１５は、本発明の第２の実施の形態に係る電力消費管理装置の構成を示す図である。
【０１９９】
図１５を参照して、電力消費管理装置１１は、記憶部２２と、処理部（スケジュール作成部）２３と、取得部２４と、送信部２５と、受信部２６と、動作設定作成部２８とを備える。すなわち、電力消費管理装置１１は、本発明の第１の実施の形態に係る電力消費管理装置１１と比べて、さらに動作設定作成部２８を備える。
【０２００】
たとえば、取得部２４は、処理部２３が受信部２６から候補要求を受けると、データベース１２から施設基本情報Ｂ、操作履歴情報Ｒ、電気料金情報Ｃおよび天候情報Ｗを取得し、取得したこれらの情報を処理部２３経由で動作設定作成部２８へ出力する。
【０２０１】
そして、動作設定作成部２８は、取得部２４から処理部２３経由で受けたこれらの情報に基づいて、電気機器１７の動作設定の候補を示す動作設定情報を作成する。
【０２０２】
具体的には、たとえば、電気機器１７がエアコンである場合、動作設定作成部２８は、天候情報Ｗを用いて、候補対象日たとえば翌日におけるある時間帯の天候の予報を確認する。
【０２０３】
そして、動作設定作成部２８は、天候情報Ｗおよび操作履歴情報Ｒに基づいて、当該予報の示す天候と同様の天候であった複数の過去の時間帯における電気機器１７の動作設定たとえば設定温度等を認識する。そして、動作設定作成部２８は、たとえば、これら複数の過去の時間帯における電気機器１７の平均的な動作設定を動作設定の基準（以下、基準設定とも称する）に決定する。
【０２０４】
動作設定作成部２８は、基準設定および基準設定に設定内容が近い複数の動作設定を示す動作設定情報を作成する。また、動作設定情報は、各動作設定における消費電力量および電気料金を示す。当該消費電力量は、たとえば、電力需要施設３における電気機器１７の消費電力等の仕様を示す施設基本情報Ｂに基づいて算出される。また、当該電気料金は、施設基本情報Ｂおよび電気料金情報Ｃに基づいて算出される。
【０２０５】
動作設定作成部２８は、作成した動作設定情報を処理部２３経由で送信部２５へ出力する。送信部２５は、処理部２３から受けた、動作設定作成部２８によって作成された動作設定情報を端末装置１６へ送信する。
【０２０６】
端末装置１６は、電力消費管理装置１１から動作設定情報を受信して、受信した動作設定情報の内容をディスプレイに表示する。
【０２０７】
図１６は、本発明の第２の実施の形態に係る電力消費管理システムにおける端末装置のディスプレイに表示された画面の一例を示す図である。
【０２０８】
図１６を参照して、画面には、候補対象日における「予想最高気温」と、「予想最低気温」と、電気機器１７である「エアコン」の動作設定の候補を示す表Ｄ１とが表示されている。
【０２０９】
表Ｄ１は、「設定温度」の基準である「設定基準」を中心とした±２℃の範囲の設定温度と、各設定温度に対応する「消費電力量」および「電気料金」とを示している。
【０２１０】
たとえば、ユーザは、表Ｄ１を参照して、電力需要施設３におけるエアコンの設定温度を決定し、決定した内容に従って電力需要施設３におけるエアコンの設定温度を調節する。
【０２１１】
以上のように、本発明の第２の実施の形態に係る電力消費管理装置では、動作設定作成部２８は、操作履歴情報Ｒおよび電気料金情報Ｃに基づいて電気機器１７の動作設定の候補を示す動作設定情報を作成する。送信部２５は、候補情報Ｓ、および動作設定作成部２８によって作成された動作設定情報を端末装置１６へ送信する。
【０２１２】
このような構成により、たとえば、ユーザが日常的に使用する範囲の動作設定であって、電気料金が安くなる動作設定を候補としてユーザに提示することができる。
【０２１３】
その他の構成および動作は第１の実施の形態に係る電力消費管理システムと同様であるため、ここでは詳細な説明を繰り返さない。
【０２１４】
なお、本発明の実施の形態に係る電力消費管理装置の機能の一部または全部が、クラウドコンピューティングによって提供されてもよい。すなわち、本発明の実施の形態に係る電力消費管理装置が、複数のクラウドサーバ等によって構成されてもよい。
【０２１５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２１６】
以上の説明は、以下に付記する特徴を含む。
【０２１７】
［付記１］
需要家の施設における電気機器の操作履歴に関する操作履歴情報を取得する取得部と、
前記取得部によって取得された前記操作履歴情報、および前記施設における時間帯別の電気料金情報に基づいて、前記施設における前記電気機器の利用スケジュールの候補を示す候補情報を作成するスケジュール作成部と、
前記スケジュール作成部によって作成された前記候補情報を前記施設に対応する需要家装置へ送信する送信部と、
前記候補情報に対する前記需要家の応答を示す応答情報を前記需要家装置から受信する受信部とを備え、
前記応答情報は、前記需要家が前記候補情報の示す前記候補に沿って前記電気機器を操作する予定であるか否かを示し、
前記需要家装置は、前記施設における消費電力を前記需要家に提示することが可能である、電力消費管理装置。
【０２１８】
［付記２］
需要家の施設における消費電力を前記需要家に提示することが可能な需要家装置であって、
前記施設における電気機器の利用スケジュールの候補を示す候補情報を電力消費管理装置から受信する受信部と、
前記受信部によって受信された前記候補情報の内容を表示する制御を行う表示制御部と、
前記表示制御部によって表示された前記候補情報の内容に対する前記需要家の応答を示す応答情報を前記電力消費管理装置へ送信する送信部とを備え、
前記応答情報は、前記需要家が前記候補情報の示す前記候補に沿って前記電気機器を操作する予定であるか否かを示す、需要家装置。
【０２１９】
［付記３］
電力消費管理装置と、
需要家装置とを備え、
前記電力消費管理装置は、
需要家の施設における電気機器の操作履歴に関する操作履歴情報を取得する取得部と、
前記取得部によって取得された前記操作履歴情報、および前記施設における時間帯別の電気料金情報に基づいて、前記施設における前記電気機器の利用スケジュールの候補を示す候補情報を作成するスケジュール作成部と、
前記スケジュール作成部によって作成された前記候補情報を前記施設に対応する前記需要家装置へ送信する送信部と、
前記候補情報に対する前記需要家の応答を示す応答情報を前記需要家装置から受信する受信部とを含み、
前記応答情報は、前記需要家が前記候補情報の示す前記候補に沿って前記電気機器を操作する予定であるか否かを示し、
前記需要家装置は、前記施設における消費電力を前記需要家に提示することが可能である、電力消費管理システム。
【０２２０】
［付記４］
電力消費管理装置と、
需要家装置とを備え、
電力消費管理装置が、需要家の施設における電気機器の利用スケジュールの候補を示す候補情報を送信し、
前記需要家装置が、前記候補情報を受信して、前記候補情報に対する応答情報を送信し、
前記電力消費管理装置が、前記候補に対応する前記電気機器の操作実績を示す操作実績情報を前記需要家装置から受信し、
前記応答情報は、前記需要家が前記候補情報の示す前記候補に沿って前記電気機器を操作する予定であるか否かを示し、
前記需要家装置は、前記施設における消費電力を前記需要家に提示することが可能である、電力消費管理システム。
【符号の説明】
【０２２１】
１  サービス事業者
３  電力需要施設
１０  ネットワーク
１１  電力消費管理装置
１２  データベース
１５  施設側装置
１６  端末装置
１７，１７Ａ，１７Ｂ，１７Ｃ  電気機器
２２  記憶部
２３，４２  処理部
２４  取得部
２５，４３  送信部
２６，４１  受信部
２８  動作設定作成部
４４  操作受付部
４５  表示部
１０１  電力消費管理システム
【図１】
0006481519.tif 000002
【図２】
0006481519.tif 000003
【図３】
0006481519.tif 000004
【図４】
0006481519.tif 000005
【図５】
0006481519.tif 000006
【図６】
0006481519.tif 000007
【図７】
0006481519.tif 000008
【図８】
0006481519.tif 000009
【図９】
0006481519.tif 000010
【図１０】
0006481519.tif 000011
【図１１】
0006481519.tif 000012
【図１２】
0006481519.tif 000013
【図１３】
0006481519.tif 000014
【図１４】
0006481519.tif 000015
【図１５】
0006481519.tif 000016
【図１６】
0006481519.tif 000017